(57)【要約】      （修正有）【課題】映像出力装置の利便性を向上させる。【解決手段】映像出力装置は、映像データが記憶された記憶部にアクセスし、予め設定された第１のフォルダの有無を検出するフォルダ検出部を備える。また、前記第１のフォルダが検出された場合は、前記第１のフォルダ内に保存されている映像データを表示出力する映像データ出力部を備える。また、前記第１のフォルダが検出されない場合は、前記記憶部に保存されたフォルダ構造に基づいて、フォルダ表示を表示出力するフォルダ表示出力部を備える。【選択図】図５
2013214810.tif 000002
【特許請求の範囲】
【請求項１】
映像データが記憶された記憶部にアクセスし、予め設定された第１のフォルダの有無を
検出するフォルダ検出部と、
前記第１のフォルダが検出された場合は、前記第１のフォルダ内に保存されている映像
データを表示出力する映像データ出力部と、
前記第１のフォルダが検出されない場合は、前記記憶部に保存されたフォルダ構造に基
づいて、同じ階層のフォルダを含む表示を出力するフォルダ表示出力部を備える映像出力
装置。
【請求項２】
前記フォルダ表示出力部は、表示出力されたフォルダ表示から指定されたフォルダ内の
映像データを表示出力する請求項１に記載の映像出力装置。
【請求項３】
前記記憶部は、前記映像出力装置の外部に構成された記憶媒体に設けられる請求項１に
記載の映像出力装置。
【請求項４】
前記フォルダ表示出力部は、前記記憶部に保存されたフォルダに映像データが検出され
ない場合は、警告表示を出力する請求項１または２に記載の映像出力装置。
【請求項５】
前記第１のフォルダは、ＤＣＩＭフォルダである請求項１または２に記載の映像出力装
置。
【請求項６】
前記第１のフォルダに代え、第２のフォルダを設定可能なフォルダ設定部を備える請求
項１または２に記載の映像出力装置。
【請求項７】
前記映像データ出力部は、前記第１のフォルダ内にある写真を表示していることを示す
第１の表示を出力する請求項１または２に記載の映像出力装置。
【請求項８】
前記フォルダ表示出力部は、前記第１のフォルダ以外にある写真を表示していることを
示す第２の表示を出力する請求項７に記載の映像出力装置。
【請求項９】
前記映像データは、動画または音楽の映像データを出力可能な請求項２に記載の映像出
力装置。
【請求項１０】
映像データが記憶された記憶部にアクセスし、予め設定された第１のフォルダの有無を
検出するステップと、
前記第１のフォルダが検出された場合は、前記第１のフォルダ内に保存されている映像
データを表示出力するステップと、
前記第１のフォルダが検出されない場合は、前記記憶部に保存されたフォルダ構造に基
づいて、同じ階層のフォルダを含む表示を出力するステップを備える映像出力方法。
【請求項１１】
映像データが記憶された記憶部にアクセスし、予め設定された第１のフォルダの有無を
検出するステップと、
前記第１のフォルダが検出された場合は、前記第１のフォルダ内に保存されている映像
データを表示出力するステップと、
前記第１のフォルダが検出されない場合は、前記記憶部に保存されたフォルダ構造に基
づいて、同じ階層のフォルダを含む表示を出力するステップを備え、映像出力装置を制御
する映像出力装置の制御プログラム。
【発明の詳細な説明】
【技術分野】
【０００１】
本発明の実施形態は、  映像出力装置、映像出力方法、映像出力装置の制御プログラム
に関する。
【背景技術】
【０００２】
近年、例えば、写真のサムネイルやフォルダ等をマルチ表示する機能を備えたテレビ等
の映像出力装置が普及している。
【０００３】
これらの映像出力装置は、ユーザが予め操作を行なうことで、例えば、記憶媒体内の特
定のフォルダやその特定のフォルダ内にあるフォルダに保存されている写真だけを表示す
ること(シームレス表示)、あるいは、写真および同じ階層にあるフォルダを表示すること
(フォルダ別表示)が可能であった。
【０００４】
しかし、上記のように、ユーザが予め操作を行なう必要があり、例えば、ユーザが操作
を行なわない場合は、前回起動した状態で上記表示が行われる。
【０００５】
このため、例えば、前回は上記シームレス表示をし、次回に特定のフォルダがない記憶
媒体内の表示を起動すると、上記シームレス表示が行われる。
【０００６】
このため、実際は、上記記憶媒体内の他のフォルダに写真があった場合においても、上
記記憶媒体には写真が存在しないように表示されてしまうことがあり、ユーザは、上記の
ような操作を都度行なう必要があり、不便であった。
【０００７】
このため、映像出力装置の利便性を向上させることが課題になっていた。
【先行技術文献】
【特許文献】
【０００８】
【特許文献１】特開２０１０−１３４９２０号公報
【発明の概要】
【発明が解決しようとする課題】
【０００９】
映像出力装置の利便性を向上させることが課題になっていた。
【課題を解決するための手段】
【００１０】
実施形態の映像出力装置は、映像データが記憶された記憶部にアクセスし、予め設定さ
れた第１のフォルダの有無を検出するフォルダ検出部を備える。
【００１１】
また、前記第１のフォルダが検出された場合は、前記第１のフォルダ内に保存されてい
る映像データを表示出力する映像データ出力部を備える。
【００１２】
また、前記第１のフォルダが検出されない場合は、前記第１のフォルダが検出されない
場合は、前記記憶部に保存されたフォルダ構造に基づいて、同じ階層のフォルダを含む表
示を出力するフォルダ表示出力部を備える。
【図面の簡単な説明】
【００１３】
【図１】実施形態に係わる映像出力装置の外観を示す図。
【図２】実施形態に係わる映像出力装置の構成の一例を示すブロック図。
【図３】実施形態に係わる映像出力装置がアクセスする記憶部に記憶された映像データの例を示す図。
【図４】実施形態に係わる映像出力装置がアクセスした記憶部に第１のフォルダが検出された場合に、この第１のフォルダ内に保存されている映像データを表示出力するようすを示す図。
【図５】実施形態に係わる映像出力装置がアクセスした記憶部に第１のフォルダが検出されない場合に、前記第１のフォルダが検出されない場合は、前記記憶部に保存されたフォルダ構造に基づいて、同じ階層のフォルダを含む表示を出力するようすを示す図。
【図６】実施形態に係わる映像出力装置の動作を説明するフローチャート。
【図７】実施形態に係わる映像出力装置において、第１のフォルダに代え、第２のフォルダを設定可能なフォルダ設定部の一例を示す図。
【図８】第２のフォルダが設定された場合の、実施形態に係わる映像出力装置の動作を説明するフローチャート。
【図９】実施形態に係わる映像出力装置がアクセスした記憶部に第２のフォルダが検出された場合に、この第２のフォルダ内に保存されている映像データを表示出力するようすを示す図。
【発明を実施するための形態】
【００１４】
以下、図面を参照し、実施の形態を説明する。
【００１５】
図１は、実施形態に係わる映像出力装置の外観を示す図である。
【００１６】
この実施形態においては、映像出力装置（テレビ）１は、例えば、ユーザによってリモ
コン（リモートコントローラ）２１が操作される。このリモコン２１から出力されたリモ
コン信号が映像出力装置（テレビ）１の操作受信部２０で受信される。
【００１７】
リモコン信号を受信した映像出力装置（テレビ）１は、このリモコン信号の指示によっ
て動作し、例えば、ＬＣＤ（Ｌｉｑｕｉｄ  Ｃｒｙｓｔａｌ  Ｄｉｓｐｌａｙ、液晶ディ
スプレイ）等で構成される表示画面（映像表示部）８に、所定の映像を表示出力する。
【００１８】
また、この実施形態において、映像出力装置（テレビ）１は、写真（静止画）や動画等
の映像データが記憶されたＳＤカード等の記憶部１９が、例えば、映像出力装置（テレビ
）１の外部から挿入される。
【００１９】
なお、上記記憶部１９は、映像出力装置（テレビ）１の内部に構成し、外部から記憶部
１９に映像データを記憶するように構成することも可能である。
【００２０】
また、上記説明では、映像出力装置（テレビ）１は、記憶部としてＳＤカード１９を用
いる例を用いて説明を行ったが、例えば、ＳＤカード１９の他に例えば、ＵＳＢメモリ等
を用いることも可能である。
【００２１】
そして、映像出力装置（テレビ）１は、上記記憶部１９にアクセスし、予め設定された
第１のフォルダ（例えば、ＤＣＩＭフォルダ）を検出する。
【００２２】
そして、第１のフォルダ（例えば、ＤＣＩＭフォルダ）が検出された場合は、上記第１
のフォルダ（例えば、ＤＣＩＭフォルダ）内に保存されている映像データを表示出力する
（図４）。
【００２３】
また、上記第１のフォルダ（例えば、ＤＣＩＭフォルダ）が検出されない場合は、上記
記憶部１９に保存されたフォルダ構造に基づいて、上記記憶部に保存されたフォルダ構造
に基づいて、同じ階層のフォルダを含む表示を出力する（図５）。
【００２４】
ここで、ＤＣＩＭフォルダの説明をする。
【００２５】
ＤＣＩＭは、「Ｄｉｇｉｔａｌ  Ｃａｍｅｒａ  ＩＭａｇｅｓ」の略であり、ＪＥＩＤ
Ａ（日本電子工業振興協会）規格で規定されている。
【００２６】
ＤＣＩＭフォルダは、リムーバブル（脱着可能）な記憶媒体（例えば、ＳＤカード等）
に、デジタルスチルカメラの画像を保存する際に、各社が統一したフォルダ形式で保存す
る規定である。
【００２７】
このように、保存画像のフォルダ形式を各社で統一することにより、例えば、Ａ社のカ
メラで撮影した画像を、Ｂ社のカメラやＣ社の携帯電話、Ｄ社のテレビ等で容易に表示す
ることができる。
【００２８】
そして、この規格では、ルートディレクトリを「ＤＣＩＭ」とすることが規定されてい
る。
【００２９】
また、この映像出力装置（テレビ）１は、例えば、ＵＳＢ端子等で外付けされる外部記
憶機器（ＨＤＤ等）１９を備えている。そして、例えば、映像出力装置１で受信された放
送を、この外部記憶機器１９に録画することが可能である。
【００３０】
また、この映像出力装置（テレビ）１は、この映像出力装置（テレビ）１に接続、ある
いは、内蔵されるバッテリ（図示せず）を備えている。
【００３１】
このバッテリは、例えば、商用電源から給電を受け、充電することが可能である。
【００３２】
ここで、上記バッテリ３０の説明をする。バッテリ３０は、例えば、リチウムイオン二
次電池やリチウムイオンポリマー二次電池を用いたバッテリパックで構成される。
【００３３】
リチウムイオン二次電池は、非水電解質二次電池の一種で、電解質中のリチウムイオン
が電気伝導 を担う二次電池である。現在、正極 にリチウム金属酸化物を用い、負極にグ
ラファイトなどの炭素 材を用いるものが多い。リチウムイオン二次電池は、リチウムイ
オン電池、リチウムイオンバッテリー、Ｌｉ−ｉｏｎ電池、ＬＩＢ、ＬｉＢとも表記され
ることがある。
【００３４】
また、リチウムイオンポリマー二次電池は、電解質として電解液のかわりに高分子ゲル
を使用する。これも、リチウムイオン電池の一種である。
【００３５】
この実施の形態に係る映像出力装置（テレビ）１は、通常、商用電源（ＡＣ電源、図示
せず）から給電を受け、動作するが、例えば、商用電源が停電し、給電が受けられない場
合等に、このバッテリ３０からの給電に切替えて、動作を行なうことが可能である。
【００３６】
なお、ここでは、映像出力装置（テレビ）１は映像表示部８を含む構成になっているが
、例えば、映像出力装置（テレビ）１と映像表示部８が別体に構成されても良い。
【００３７】
図２は、実施形態に係わる電子機器の構成を示すブロック図である。
【００３８】
この実施形態においては、制御部１１はＣＰＵ（１２）を備えている。そして、ＣＰＵ
（１２）は映像出力装置（テレビ）１を制御する。また、ＲＡＭ（１３）、ＲＯＭ（１４
）、フラッシュメモリ１５は、例えば、制御部１１で行われる処理に利用される。
【００３９】
例えば、放送局２５からデジタル放送で映像コンテンツが放送される。放送局２５から
放送されたデジタル放送はチューナ３で受信され、選局処理が行われ、デジタル信号の映
像コンテンツが信号処理部４に送信される。
【００４０】
なお、この実施形態においては、特に図示しないが、複数の放送番組を同時に受信し、
同時に録画することが可能である。
【００４１】
信号処理部４で受信されたデジタル信号の映像コンテンツは信号処理が施され、音声処
理部６および映像処理部５に送信される。
【００４２】
音声処理部６は、信号処理が施された映像コンテンツを受信し、音声処理を施した信号
をスピーカ９に送信する。
【００４３】
スピーカ９は、音声処理が施された信号を受信し、音声を出力する。
【００４４】
また、映像処理部５は、信号処理が施された映像コンテンツを受信し、映像処理を施し
た信号を表示装置７に送信する。
【００４５】
表示装置７は、映像処理が施された信号を受信し、ＬＣＤパネル等で構成される表示画
面（映像表示部）８に映像を表示する。
【００４６】
また、この実施の形態においては、映像出力装置（テレビ）１は内部記憶装置１７を備
えている。この内部記憶装置１７は、受信した放送を録画することが可能である。
【００４７】
また、この実施の形態においては、映像出力装置（テレビ）１は、上記のようにＵＳＢ
接続やＬＡＮ接続される外部記憶機器１９を備えている。上記受信された映像コンテンツ
はこの外部記憶機器１９に記録することも可能である。
【００４８】
また、上記のように、映像出力装置（テレビ）１に対するユーザの操作は、例えばリモ
コン（リモートコントローラ）２１等の操作機器によって指示される。
【００４９】
これらの処理は、上記のように、制御部１１に制御される。
【００５０】
また、映像出力装置（テレビ）１は、送受信部（ネットワークインターフェース）２２
、ネットワーク（インターネット）２６を介してサーバ２７に接続され、所定の情報を、
このネットワーク（インターネット）２６を介して取得することが可能である。
【００５１】
また、上記のように、映像出力装置（テレビ）１は、バッテリを構成することが可能で
ある。
【００５２】
図３は、実施形態に係わる映像出力装置がアクセスする記憶部に記憶された映像データ
の例を示す図である。
【００５３】
図３（ａ）は、映像データが記憶された記憶部（例えば、ＳＤカード１９）に、第１の
フォルダ（ＤＣＩＭフォルダ３１）内に写真等の映像データが記憶されている例を示す図
である。
【００５４】
上記のように、一般のカメラで撮影され、保存された映像データは、このように、フォ
ルダ形式が統一された第１のフォルダ（ＤＣＩＭフォルダ３１）内に記憶（保存）されて
いる。
【００５５】
ここでは、記憶部（ＳＤカード１９）内のＤＣＩＭフォルダ３１内に、フォルダＡ３２
が設けられ、映像データ（写真３１ａ、写真３１ｂ）が記憶（保存）されている。また、
上記ＤＣＩＭフォルダ３１内に、映像データ（写真３１ｃ）が記憶（保存）されている。
【００５６】
図３（ｂ）は、例えば、ユーザが、ＰＣ（パーソナルコンピュータ）等を用い、上記Ｄ
ＣＩＭフォルダ３１内に、映像データ（写真３１ａ、写真３１ｂ）、映像データ（写真３
１ｃ）が記憶（保存）されている記憶部（ＳＤカード１９）に、上記ＤＣＩＭフォルダ３
１外に、フォルダＢ３３（映像データ（写真３３ａ、写真３３ｂ）が記憶（保存）されて
いる）とフォルダＣ３４（映像データは記憶（保存）されていない）が設けられている例
を示す図である。
【００５７】
図３（ｃ）は、同様に、例えば、ユーザが、ＰＣ（パーソナルコンピュータ）等を用い
、記憶部（ＳＤカード１９）に、フォルダＢ３３（映像データ（写真３３ａ、写真３３ｂ
）が記憶（保存）されている）とフォルダＣ３４（映像データは記憶（保存）されていな
い）が設けられている例を示す図である。ここでは、上記ＤＣＩＭフォルダ３１は設けら
れていない。
【００５８】
この実施形態においては、上記図３（ａ）、図３（ｂ）、図３（ｃ）に示すように映像
データが記憶された記憶部（ＳＤカード１９）が映像出力装置１に挿入され、データアク
セスされる。
【００５９】
図４は、実施形態に係わる映像出力装置がアクセスした記憶部に第１のフォルダが検出
された場合に、この第１のフォルダ内に保存されている映像データを表示出力するようす
を示す図である。
【００６０】
例えば、映像データが記憶された記憶部（ＳＤカード１９）が映像出力装置１に挿入さ
れ、第１のフォルダ（例えば、ＤＣＩＭフォルダ３１）が検出された場合に、この第１の
フォルダ内に保存されている映像データが表示出力される。
【００６１】
この実施形態においては、上記のように、映像出力装置１が特定のフォルダ（第１のフ
ォルダ（例えば、ＤＣＩＭフォルダ３１））を検出し、この特定のフォルダ（第１のフォ
ルダ（例えば、ＤＣＩＭフォルダ３１））やその中にあるフォルダ（フォルダＡ３２）に
保存されている写真（３１ａ、３１ｂおよび３１ｃ）を表示する、シームレス表示が行わ
れる。
【００６２】
すなわち、この実施形態においては、シームレス表示とは、図４に示すように、ＤＣＩ
Ｍフォルダ３１内にある全ての写真（３１ａ、３１ｂおよび３１ｃ）をシームレスに表示
することを示している。
【００６３】
そして、ここでは、図４に示すように、「写真再生」の表示４０に加え、上記「シーム
レス」の表示４１が表示される。
【００６４】
なお、上記説明では、記憶部（例えば、ＳＤカード１９）に上記特定のフォルダ（第１
のフォルダ（例えば、ＤＣＩＭフォルダ３１））が１つ構成されている例を用いて説明を
行ったが、この特定のフォルダ（第１のフォルダ（例えば、ＤＣＩＭフォルダ３１））は
１つに限られず、複数構成されても良い。
【００６５】
この場合は、上記と同様に、映像出力装置１が複数の特定のフォルダ（第１のフォルダ
（例えば、ＤＣＩＭフォルダ３１））を検出し、これら複数の特定のフォルダ（第１のフ
ォルダ（例えば、ＤＣＩＭフォルダ３１））やそれらの中にあるフォルダ（フォルダＡ３
２）に保存されている写真（３１ａ、３１ｂおよび３１ｃ）を表示する、シームレス表示
が行われる。
【００６６】
なお、上記映像データを記憶する記憶部は上記のようなＳＤカード１９に限られること
はなく、例えば、ネットワーク２６に接続されたサーバ２７を用いることも可能である。
【００６７】
図５は、実施形態に係わる映像出力装置がアクセスした記憶部に第１のフォルダが検出
されない場合に、この記憶部に保存されたフォルダ構造に基づいて、前記第１のフォルダ
が検出されない場合は、前記記憶部に保存されたフォルダ構造に基づいて、同じ階層のフ
ォルダを含む表示を出力するようすを示す図である。
【００６８】
例えば、上記のように、映像データが記憶された記憶部（ＳＤカード１９）が映像出力
装置１に挿入され、第１のフォルダ（例えば、ＤＣＩＭフォルダ３１）が検出されない場
合に、この記憶部に保存されたフォルダ構造に基づいて、前記第１のフォルダが検出され
ない場合は、前記記憶部に保存されたフォルダ構造に基づいて、同じ階層のフォルダを含
む表示が出力される。
【００６９】
図５（ａ）は、例えば、上記のように、映像データが記憶された記憶部（ＳＤカード１
９）が映像出力装置１に挿入され、第１のフォルダ（例えば、ＤＣＩＭフォルダ３１）が
検出されない場合に、この記憶部に保存されたフォルダ構造に基づいて、同じ階層、例え
ば、第一階層のフォルダの表示が出力されている例を示している。
【００７０】
ここでは、上記第１のフォルダ（例えば、ＤＣＩＭフォルダ３１）ではないフォルダ、
すなわち、フォルダＢ３３およびフォルダＣ３４が表示出力されている。
【００７１】
また、ここでは、フォルダＢ３３のフォルダ表示では、フォルダＢ３２に、映像データ
（３３ａ、３３ｂ）が収納（記憶）されていることが表示されている。
【００７２】
また、フォルダＢ３３のフォルダ表示では、フォルダＢ３３に、映像データが収納（記
憶）されていない旨の警告表示（ワーニング）５０が表示されている。
【００７３】
また、ここでは、ユーザは、例えば、リモコン２１を操作し、映像データ（３３ａ、３
３ｂ）が収納（記憶）されていることが表示されているフォルダＢ３３を選択／指定し、
上記フォルダＢ３３に、収納（記憶）されている映像データ（３３ａ、３３ｂ）を表示出
力することが可能である。
【００７４】
また、ここでは、図５（ａ）に示すように、例えば、「フォルダ別」５１の表示が表示
される。
【００７５】
図５（ｂ）は、上記フォルダＢ３３が選択／指定され、収納（記憶）されている映像デ
ータ（３３ａ、３３ｂ）を表示出力する例を示す図である。
【００７６】
ここでは、図５（ｂ）に示すように、上記フォルダＢ３３に、収納（記憶）されている
映像データ（３３ａ、３３ｂ等）が表示出力される。
【００７７】
また、ここでは、図５（ｂ）に示すように、例えば、「フォルダ別／フォルダＢ」５２
の表示が表示される。
【００７８】
そして、この実施形態においては、映像出力装置１は、上記のように、例えば、記憶部
（ＳＤカード等）１９にアクセスし、映像出力装置１に予め設定された第１のフォルダ（
例えば、ＤＣＩＭフォルダ）を検出する。
【００７９】
そして、第１のフォルダ（例えば、ＤＣＩＭフォルダ）が検出された場合は、上記第１
のフォルダ（例えば、ＤＣＩＭフォルダ）内に保存されている映像データを表示出力する
（図４）。
【００８０】
また、上記第１のフォルダ（例えば、ＤＣＩＭフォルダ）が検出されない場合は、上記
記憶部１９に保存されたフォルダ構造に基づいて、同じ階層のフォルダを含む表示を出力
する（図５）。
【００８１】
例えば、上記図３（ａ）に示すように、記憶部（ＳＤカード等）１９に、第１のフォル
ダ（ＤＣＩＭフォルダ３１）が記憶され、この第１のフォルダ（ＤＣＩＭフォルダ３１）
内に写真等の映像データが記憶されている場合は、上記のように、映像出力装置１は、予
め設定された第１のフォルダ（例えば、ＤＣＩＭフォルダ）を検出し、上記図４に示すよ
うな表示（３１ａ、３１ｂ、３１ｃを表示）を表示出力する。
【００８２】
また、例えば、上記図３（ｂ）に示すように、記憶部（ＳＤカード等）１９に、第１の
フォルダ（ＤＣＩＭフォルダ３１）と第１のフォルダ（ＤＣＩＭフォルダ３１）ではない
他のフォルダ（フォルダＢ３３、フォルダＣ３４）が混在している場合は、上記のように
、映像出力装置１は、予め設定された第１のフォルダ（例えば、ＤＣＩＭフォルダ）を検
出し、上記図４に示すような表示（３１ａ、３１ｂ、３１ｃを表示）を表示出力する。
【００８３】
また、例えば、上記図３（ｃ）に示すように、記憶部（ＳＤカード等）１９に、第１の
フォルダ（ＤＣＩＭフォルダ３１）は記憶されず、第１のフォルダ（ＤＣＩＭフォルダ３
１）ではない他のフォルダ（フォルダＢ３３、フォルダＣ３４）が収納（保存）されてい
る場合は、上記のように、映像出力装置１は、上記第１のフォルダ（例えば、ＤＣＩＭフ
ォルダ）が検出されないため、上記図５（ａ）、図５（ｂ）に示すような、同じ階層のフ
ォルダを含む表示を出力する。
【００８４】
すなわち、この実施形態においては、上記フォルダ別の表示５１やフォルダ別／フォル
ダＢの表示５２は、ＤＣＩＭフォルダ３１以外にある写真（３３ａ、３３ｂ）を示す表示
である。
【００８５】
なお、これらの写真（３３ａ、３３ｂ）は、記憶部（ＳＤカード１９等）内に記憶され
ている。
【００８６】
図６は、実施形態に係わる映像出力装置の動作を説明するフローチャートである。
【００８７】
ステップＳ１００は、ここでの開始ステップである。続いて、ステップＳ１０１に進む
。
【００８８】
ステップＳ１０１は、上記のように、データが記憶された記憶部（例えば挿入されたＳ
Ｄカード１９）にアクセスするステップである。続いて、ステップＳ１０２に進む。
【００８９】
ステップＳ１０２は、上記第１のフォルダ（例えば、ＤＣＩＭフォルダ）が検出された
かを判別するステップである。ここで、第１のフォルダ（例えば、ＤＣＩＭフォルダ）が
検出されたと判別される場合は、ステップＳ１０３に進む（Ｙｅｓ）。第１のフォルダ（
例えば、ＤＣＩＭフォルダ）が検出されないと判別される場合は、ステップＳ１０４に進
む（Ｎｏ）。
【００９０】
ステップＳ１０３は、例えば、図４に示すように、第１のフォルダ（ＤＣＩＭ）内の映
像データをシームレス表示するステップである。
【００９１】
ステップＳ１０４は、例えば、図５（ａ）に示すように、記憶部（例えば、ＳＤカード
１９）に格納されたフォルダ構造に基づいて、フォルダ表示を表示出力するステップであ
る。続いて、ステップＳ１０５に進む。
【００９２】
ステップＳ１０５は、例えば、図５（ｂ）に示すように、ユーザに指定されたフォルダ
（例えば、フォルダＢ）内の映像データを表示出力するステップである。
【００９３】
この実施形態においては、上記のように、映像出力装置１は、映像データが記憶された
記憶部にアクセスし、予め設定された第１のフォルダの有無を検出する。
【００９４】
そして、上記第１のフォルダが検出された場合は、上記第１のフォルダ内に保存されて
いる映像データを表示出力する。
【００９５】
また、上記第１のフォルダが検出されない場合は、上記記憶部に保存されたフォルダ構
造に基づいて、同じ階層のフォルダを含む表示を出力する。
【００９６】
図７は、実施形態に係わる映像出力装置において、第１のフォルダに代え、第２のフォ
ルダを設定可能なフォルダ設定部の一例を示す図である。
【００９７】
この実施形態においては、上記第１のフォルダ（例えば、ＤＣＩＭフォルダ）に代え、
第２のフォルダを設定することが可能である。
【００９８】
ここでは、図７（ａ）に示すように、表示画面８に上記検出を行う対象（上記第１のフ
ォルダ（例えば、ＤＣＩＭフォルダ）に代える第２のフォルダ）を表示し、ユーザが指定
することが可能である。
【００９９】
ここでは、例えば、「写真（ＤＣＩＭ）」７１、「動画」７２、「音楽」７３、「○○
」７４等を指定することが可能である。
【０１００】
また、図７（ｂ）に示すように、上記検出を行う対象（上記第１のフォルダ（例えば、
ＤＣＩＭフォルダ）に代える第２のフォルダ）として日付を表示し、ユーザが指定するこ
とが可能である。
【０１０１】
ここでは、例えば、「○月○日」８１、「×月×日」８２、「△月△日」８３、「□月
□日」８４等を指定することが可能である。
【０１０２】
図８は、実施形態に係わる映像出力装置の動作を説明するフローチャートである。
【０１０３】
ステップＳ２００は、ここでの開始ステップである。続いて、ステップＳ２０１に進む
。
【０１０４】
ステップＳ２０１は、データが記憶された記憶部（例えば挿入されたＳＤカード１９）
にアクセスするステップである。続いて、ステップＳ２０２に進む。
【０１０５】
ステップＳ２０２は、上記ユーザに指定された第２のフォルダ（例えば、動画７２）が
検出されたかを判別するステップである。上記第２のフォルダ（動画）が検出されと判別
される場合は、ステップＳ２０３に進む（Ｙｅｓ）。上記第２のフォルダ（動画）が検出
されないと判別される場合は、ステップＳ２０４に進む（Ｎｏ）。
【０１０６】
ステップＳ２０３は、上記と同様に、第２のフォルダ（動画）内の映像データをシーム
レス表示するステップである。
【０１０７】
ステップＳ２０４は、図５（ａ）と同様に、記憶部（ＳＤカード１９）に格納されたフ
ォルダ構造に基づいて、フォルダ表示を表示出力するステップである。続いて、ステップ
Ｓ２０５に進む。
【０１０８】
ステップＳ２０５は、図５（ｂ）と同様に、ユーザに指定されたフォルダ（例えば、フ
ォルダＢ）内の映像データを表示出力するステップである。
【０１０９】
この実施形態においては、上記のように、映像出力装置１は、映像データが記憶された
記憶部にアクセスし、予め設定された第２のフォルダの有無を検出する。
【０１１０】
そして、上記第２のフォルダが検出された場合は、上記第２のフォルダ内に保存されて
いる映像データを表示出力する。
【０１１１】
また、上記第２のフォルダが検出されない場合は、上記記憶部に保存されたフォルダ構
造に基づいて、同じ階層のフォルダを含む表示を出力する。
【０１１２】
図９は、実施形態に係わる映像出力装置がアクセスした記憶部に第２のフォルダが検出
された場合に、この第２のフォルダ内に保存されている映像データを表示出力するようす
を示す図である。
【０１１３】
ここでは、上記のように、映像出力装置１は、映像データが記憶された記憶部にアクセ
スし、予め設定された第２のフォルダ（動画）の有無を検出し、第２のフォルダが検出さ
れた場合は、上記第２のフォルダ内に保存されている映像データ（動画）を表示出力する
。
【０１１４】
ここでは、表示画面８に表示されている「ａ」、「ｂ」、「ｃ」は映像データ（動画）
である。
【０１１５】
また、ここでは、図示しないが、上記と同様に、第２のフォルダ（動画）が検出されな
い場合は、上記記憶部に保存されたフォルダ構造に基づいて、同じ階層のフォルダを含む
表示を出力する。
【０１１６】
すなわち、この実施形態においては、例えば、写真のサムネイル、フォルダをマルチ表
示（複数の画像を表示）する機能を備えた映像装置において、特定のフォルダ（例えば、
ＤＣＩＭフォルダ）やその中にあるフォルダに保存されている写真を表示するモード(シ
ームレス表示)と、写真および同じ階層にあるフォルダを表示するモード(フォルダ別表示
)を備えている。
【０１１７】
また、上記マルチ表示する際に、上記記憶部内等に上記特定のフォルダが検出される場
合は、シームレス表示し、上記特定のフォルダが検出されない場合は、フォルダ別表示す
るように自動的に切り換える。
【０１１８】
また、上記のように、フォルダ別表示モード時でフォルダを開き、その中に写真ファイ
ルやフォルダ等が検出されない場合は、例えば、写真ファイルやフォルダ等が検出されな
い旨を表すワーニングを表示する。
【０１１９】
そして、例えば、ユーザが確認後に、上記表示を前の階層に戻るようにしても良い。
【０１２０】
また、同様に、動画のサムネイルやフォルダをマルチ表示する機能を備えた映像出力に
おいても、特定のフォルダやその中にあるフォルダに保存されている動画を表示するモー
ド(シームレス表示)と、動画および同じ階層にあるフォルダを表示するモード(フォルダ
別表示)を備え、マルチ表示する際に、再生機器内に特定のフォルダが検出された場合は
、シームレス表示し、特定のフォルダが検出されない場合は、フォルダ別表示するように
自動的に切り換える。
【０１２１】
また、この場合、ユーザ操作に応じ、フォルダ別表示モード時でフォルダを開き、その
中に動画ファイルやフォルダが検出されない場合は、この検出されない旨を表すワーニン
グを表示する。
【０１２２】
そして、例えば、ユーザが確認後に、上記表示を前の階層に戻るようにしても良い。
【０１２３】
また、例えば、他の実施形態として、ジャケット写真等の音楽のサムネイルやフォルダ
をマルチ表示する機能を備えた映像出力装置において、上記と同様に、特定のフォルダや
その中にあるフォルダに保存されている音楽を表示するモード(シームレス表示)と、音楽
および同じ階層にあるフォルダを表示するモード(フォルダ別表示)を備え、上記マルチ表
示する際に、記憶部内等に、特定のフォルダが検出される場合は、シームレス表示し、特
定のフォルダが検出されない場合は、フォルダ別表示するように、自動的に切り換える。
【０１２４】
また、上記と同様に、ユーザ操作に応じ、フォルダ別表示モード時でフォルダを開き、
その中に動画ファイル、フォルダが検出されない場合は、この検出されない旨を表すワー
ニングを表示する。
【０１２５】
そして、例えば、ユーザが確認後に、上記表示を前の階層に戻るようにしても良い。
【０１２６】
また、上記説明においては、写真、動画、音楽を別々に表示する例を用いて説明を行な
ったが、これらの写真、動画、音楽等のデータを混在させて表示しても良い。
【０１２７】
上記のように、この実施形態に係る映像出力装置１は、映像データが記憶された記憶部
にアクセスし、予め設定された第１のフォルダの有無を検出するフォルダ検出部（例えば
、ＣＰＵ１１）を備える。
【０１２８】
また、上記第１のフォルダが検出された場合は、上記第１のフォルダ内に保存されてい
る映像データを表示出力する映像データ出力部（映像処理部５）を備える。
【０１２９】
また、上記第１のフォルダが検出されない場合は、上記記憶部に保存されたフォルダ構
造に基づいて、同じ階層のフォルダを含む表示を出力するフォルダ表示出力部（映像処理
部５）を備える。
【０１３０】
また、上記フォルダ表示出力部（映像処理部５）は、表示出力されたフォルダ表示から
指定されたフォルダ内の映像データを表示出力する。
【０１３１】
また、上記記憶部は、上記映像出力装置１の外部に構成された記憶媒体（例えば、ＳＤ
カード１９）に設けられる。
【０１３２】
また、上記フォルダ表示出力部（映像処理部５）は、上記記憶部に保存されたフォルダ
に映像データが検出されない場合は、警告表示（警告５０）を出力する。
【０１３３】
また、上記第１のフォルダは、例えば、ＤＣＩＭフォルダである。
【０１３４】
また、上記第１のフォルダに代え、第２のフォルダ（動画、音楽等）を設定可能である
。
【０１３５】
また、前記映像データは、上記動画または音楽（例えば、ジャケット写真等の音楽のサ
ムネイルやフォルダ）の映像データを出力可能である。
【０１３６】
また、上記映像データ出力部（映像処理部５）は、前記第１のフォルダ（ＤＣＩＭフォ
ルダ）内にある写真を表示していることを示す第１の表示（例えば、シームレス４１等）
を出力する。
【０１３７】
また、上記フォルダ表示出力部（映像処理部５）は、前記第１のフォルダ（ＤＣＩＭフ
ォルダ）以外にある写真を表示していることを示す、上記第１の表示とは異なる、第２の
表示（例えば、フォルダ別５１、フォルダ別／フォルダＢ５２等）を出力する。
【０１３８】
上記のように構成することにより、この実施形態においては、映像出力装置の利便性を
向上させることが可能になる。
【０１３９】
なお、上記実施形態の制御処理の手順は全てソフトウェアによって実行することが可能
である。このため、制御処理の手順を実行するプログラムを格納したコンピュータ読み取
り可能な記憶媒体を通じてこのプログラムを通常のコンピュータにインストールして実行
するだけで、上記実施形態と同様の効果を容易に実現することができる。
【０１４０】
なお、上記実施形態は、記述そのものに限定されるものではなく、実施段階では、その
趣旨を逸脱しない範囲で、構成要素を種々変形して具体化することが可能である。
【０１４１】
また、上記実施形態に開示されている複数の構成要素の適宜な組み合せにより種々の発
明を形成できる。
【０１４２】
例えば、実施形態に示される全構成要素から幾つかの構成要素を削除してもよい。更に
、異なる実施形態に亘る構成要素を適宜組み合せてもよい。
【符号の説明】
【０１４３】
１…映像出力装置（テレビ）、８…映像表示部（表示画面）、４１…シームレス表示、
５１…フォルダ別表示。
【図１】
2013214810.tif 000003
【図２】
2013214810.tif 000004
【図３】
2013214810.tif 000005
【図４】
2013214810.tif 000006
【図５】
2013214810.tif 000007
【図６】
2013214810.tif 000008
【図７】
2013214810.tif 000009
【図８】
2013214810.tif 000010
【図９】
2013214810.tif 000011